(57)【要約】【課題】印刷体裁、製本体裁との不整合が発生しないように原稿ファイルを指定し得る電子入稿システム、その制御方法、及び制御プログラムを提供する。【解決手段】電子入稿システムのクライアントコンピュータ１０２は、設定画面表示制御手段で、印刷物の表紙に係る設定を行うための設定画面を表示部に表示させる。指定画面表示制御手段は、設定画面で設定された内容に応じて表紙又は本文に係る原稿ファイルを指定するための原稿ファイル指定画面を表示部に表示させる。選択画面表示制御手段は、原稿ファイル指定画面上での原稿ファイルに指定で、表紙、本文、裏表紙で別々の原稿ファイルを使用する、若しくは表紙、本文、裏表紙の全体で１つの原稿ファイルを使用する、又は表紙用及び裏表紙用の原稿ファイルと本文用の原稿ファイルとを使用する旨を選択するための選択画面を前記表示部に表示させる。【選択図】図２
2011103136.tif 000002
【特許請求の範囲】
【請求項１】
ネットワークを介してクライアントコンピュータから電子入稿サーバに印刷物を登録する電子入稿システムにおいて、
前記クライアントコンピュータは、
前記印刷物の表紙に係る設定を行うための設定画面を表示部に表示させる設定画面表示制御手段と、
前記設定画面を介してなされた設定内容に応じて表紙又は本文に係る原稿ファイルを指定するための原稿ファイル指定画面を生成して、前記表示部に表示させる指定画面表示制御手段と、
前記指定画面表示制御手段による前記原稿ファイル指定画面上での原稿ファイルに指定において、表紙、本文、裏表紙で別々の原稿ファイルを使用する、又は表紙、本文、裏表紙の全体で１つの原稿ファイルを使用する、又は表紙用及び裏表紙用の原稿ファイルと本文用の原稿ファイルとを使用する旨を選択するための選択画面を前記表示部に表示させる選択画面表示制御手段と、を有し、
ＣＰＵが記憶媒体に格納されたプログラムコードを読み出し実行することによって、前記設定画面表示制御手段、案内画面表示制御手段、および選択画面表示制御手段の各機能を達成することを特徴とする電子入稿システム。
【請求項２】
指定されるべき原稿ファイルの何ページ目が表紙、本文、裏表紙の何れの用途として使用されるかを案内する案内を前記表示部に表示させる案内手段を有し、
ＣＰＵが記憶媒体に格納されたプログラムコードを読み出し実行することによって、前記案内手段の各機能を達成することを特徴とする請求項１に記載の電子入稿システム。
【請求項３】
ネットワークを介してクライアントコンピュータから電子入稿サーバに印刷物を登録する電子入稿システムの制御方法において、
前記クライアントコンピュータは、
前記印刷物の表紙に係る設定を行うための設定画面を表示部に表示させる設定画面表示制御工程と、
前記設定画面を介してなされた設定内容に応じて表紙又は本文に係る原稿ファイルを指定するための原稿ファイル指定画面を生成して、前記表示部に表示させる指定画面表示制御工程と、
前記指定画面表示制御工程による前記原稿ファイル指定画面上での原稿ファイルに指定において、表紙、本文、裏表紙で別々の原稿ファイルを使用する、又は表紙、本文、裏表紙の全体で１つの原稿ファイルを使用する、又は表紙用及び裏表紙用の原稿ファイルと本文用の原稿ファイルとを使用する旨を選択するための選択画面を前記表示部に表示させる選択画面表示制御工程と、を有し、
ＣＰＵが記憶媒体に格納されたプログラムコードを読み出し実行することによって、前記設定画面表示制御工程、案内画面表示制御工程、および選択画面表示制御工程の各を実行することを特徴とする電子入稿システムの制御方法。
【請求項４】
指定されるべき原稿ファイルの何ページ目が表紙、本文、裏表紙の何れの用途として使用されるかを案内する案内を前記表示部に表示させる案内工程を有し、
ＣＰＵが記憶媒体に格納されたプログラムコードを読み出し実行することによって、前記案内工程の各を実行することを特徴とする請求項３に記載の電子入稿システムの制御方法。
【請求項５】
請求項３又は４に記載の電子入稿システムの制御方法を、前記クライアントコンピュータに実行させるためのコンピュータで実行可能な制御プログラム。
【発明の詳細な説明】
【技術分野】
【０００１】
本発明は、印刷の発注、受注を管理する電子入稿システム、その制御方法、及び制御プログラムに関するものである。
【背景技術】
【０００２】
従来、ネットワークを介して発注された印刷物の注文情報を受注処理して管理する電子入稿システムが知られている。この種の電子入稿システムでは、印刷注文を行う場合、または商品（受注側が用意する定型の印刷物）の登録を行う場合に、印刷体裁（表紙の有無、裏表紙の有無、片面印刷、両面印刷など）および製本体裁（フィニッシング：くるみ製本、中とじなど）の設定、及び原稿ファイルの指定を行うときは、印刷体裁や製本体裁の設定とは別に、原稿ファイルを順序付けて指定していた（特許文献１参照）。
【先行技術文献】
【特許文献】
【０００３】
【特許文献１】特開２００１−３１２３８１号公報
【発明の概要】
【発明が解決しようとする課題】
【０００４】
しかしながら、従来の電子入稿システムでは、印刷注文、または商品登録を行う場合に、印刷体裁および製本体裁の設定、及び原稿ファイルの指定を行うときは、原稿ファイルの用途や数を指定せずに、原稿ファイルの順番のみを指定しているため、原稿ファイルの用途やその順序が、印刷体裁・製本体裁の設定情報と不整合が起こる場合があり、この場合には受注後の編集、印刷、製本作業を円滑に進めることができなかった。
【０００５】
そこで、本発明は、印刷体裁、製本体裁との不整合が発生しないように原稿ファイルを指定し得る電子入稿システム、その制御方法、及び制御プログラムを提供することを目的とする。
【課題を解決するための手段】
【０００６】
上記目的を達成するため、本発明の電子入稿システムは、ネットワークを介してクライアントコンピュータから電子入稿サーバに印刷物を登録する電子入稿システムにおいて、前記クライアントコンピュータは、前記印刷物の表紙に係る設定を行うための設定画面を表示部に表示させる設定画面表示制御手段と、前記設定画面を介してなされた設定内容に応じて表紙又は本文に係る原稿ファイルを指定するための原稿ファイル指定画面を生成して、前記表示部に表示させる指定画面表示制御手段と、前記指定画面表示制御手段による前記原稿ファイル指定画面上での原稿ファイルに指定において、表紙、本文、裏表紙で別々の原稿ファイルを使用する、又は表紙、本文、裏表紙の全体で１つの原稿ファイルを使用する、又は表紙用及び裏表紙用の原稿ファイルと本文用の原稿ファイルとを使用する旨を選択するための選択画面を前記表示部に表示させる選択画面表示制御手段と、を有し、ＣＰＵが記憶媒体に格納されたプログラムコードを読み出し実行することによって、前記設定画面表示制御手段、案内画面表示制御手段、および選択画面表示制御手段の各機能を達成することを特徴とする。
【０００７】
上記目的を達成するため、本発明の電子入稿システムの制御方法は、ネットワークを介してクライアントコンピュータから電子入稿サーバに印刷物を登録する電子入稿システムの制御方法において、前記クライアントコンピュータは、前記印刷物の表紙に係る設定を行うための設定画面を表示部に表示させる設定画面表示制御工程と、前記設定画面を介してなされた設定内容に応じて表紙又は本文に係る原稿ファイルを指定するための原稿ファイル指定画面を生成して、前記表示部に表示させる指定画面表示制御工程と、前記指定画面表示制御工程による前記原稿ファイル指定画面上での原稿ファイルに指定において、表紙、本文、裏表紙で別々の原稿ファイルを使用する、又は表紙、本文、裏表紙の全体で１つの原稿ファイルを使用する、又は表紙用及び裏表紙用の原稿ファイルと本文用の原稿ファイルとを使用する旨を選択するための選択画面を前記表示部に表示させる選択画面表示制御工程と、を有し、ＣＰＵが記憶媒体に格納されたプログラムコードを読み出し実行することによって、前記設定画面表示制御工程、案内画面表示制御工程、および選択画面表示制御工程の各を実行することを特徴とする。
【発明の効果】
【０００８】
本発明によれば、印刷体裁、製本体裁との不整合が発生しないように原稿ファイルを指定し得る電子入稿システム、その制御方法、及び制御プログラムを提供することが可能となる。
【図面の簡単な説明】
【０００９】
【図１】本発明の実施の形態に係る電子入稿システムの概略構成を示すシステム構成図である。
【図２】上記電子入稿システムのモジュール構成を示すブロック図である。
【図３】原稿ファイルを入稿するためのＵＩ画面例を示す図である。
【図４】印刷体裁を設定するためのＵＩ画面例を示す図である。
【図５】注文管理アプリケーションのＵＩ画面例を示す図である。
【図６】商品登録アプリケーションのＵＩ画面例を示す図である。
【図７】商品データのフォーマットを示す図である。
【図８】注文データのフォーマット（ＸＭＬ、ＤＴＤ）を示す図である。
【図９】注文データのフォーマット（ＸＭＬ、ＤＴＤ）を示す図である（図８の続き）。
【図１０】印刷注文時の注文データ例（ＸＭＬのデータの一部）を示す図である。
【図１１】印刷注文時の注文データ例（ＸＭＬのデータの一部）を示す図である（図１０の続き）。
【図１２】印刷注文時の注文データ例（ＸＭＬのデータの一部）を示す図である（図１１の続き）。
【図１３】印刷注文時の注文データ例（ＸＭＬのデータの一部）を示す図である（図１２の続き）。
【図１４】商品注文時の注文データ例（ＸＭＬのデータの一部）を示す図である。
【図１５】商品注文時の注文データ例（ＸＭＬのデータの一部）を示す図である（図１４の続き）。
【図１６】印刷体裁テンプレート管理ダイアログ画面を示す図である。
【図１７】印刷体裁テンプレート作成ダイアログ画面の基本設定に係る画面を示す図である。
【図１８】印刷体裁テンプレート作成ダイアログ画面の表紙設定に係る画面を示す図である。
【図１９】印刷体裁テンプレート作成ダイアログ画面の加工設定に係る画面を示す図である。
【図２０】商品で使用する原稿ファイルの用途の種類と各用途として登録可能な原稿ファイル数の関係を示す図である。
【図２１】印刷体裁テンプレート作成ダイアログ画面で指定された設定と、その印刷体裁テンプレートを使用して商品を登録する際に指定すべき原稿ファイルの用途の組合せの関係を示す図である（第１の実施形態）。
【図２２】印刷体裁テンプレートを管理するための印刷体裁テンプレート管理ファイルのフォーマットを示す図である。
【図２３】新規商品登録ウィザードの商品情報入力画面を示す図である。
【図２４】新規商品登録ウィザードの印刷体裁テンプレート選択画面を示す図である。
【図２５】新規商品登録ウィザードの表紙用原稿ファイルの指定画面を示す図である。
【図２６】新規商品登録ウィザードの本文用原稿ファイルの指定画面を示す図である。
【図２７】新規商品登録ウィザードの登録確認画面を示す図である。
【図２８】注文管理アプリケーションのＵＩ画面（本文の印刷体裁、原稿ファイル表示）の例を示す図である。
【図２９】注文管理アプリケーションのＵＩ画面（表紙の印刷体裁、原稿ファイル表示）の例を示す図である。
【図３０】印刷体裁テンプレート作成ダイアログで指定された設定と、その印刷体裁テンプレートを使用して商品を登録する際に指定すべき原稿ファイルの用途の組合せの関係を示す図である（第２の実施形態：表紙、本文、裏表紙で別々の原稿ファイルを使用する場合）。
【図３１】印刷体裁テンプレート作成ダイアログで指定された設定と、その印刷体裁テンプレートを使用して商品を登録する際に指定すべき原稿ファイルの用途の組合せの関係を示す図である（第２の実施形態：表紙、本文、裏表紙で１つの原稿ファイルを使用する場合）。
【図３２】印刷体裁テンプレート作成ダイアログで指定された設定と、その印刷体裁テンプレートを使用して商品を登録する際に指定すべき原稿ファイルの用途の組合せの関係を示す図である（第２の実施形態：表紙／裏表紙用の原稿ファイルと、本文用の原稿ファイルを使用する場合）。
【図３３】新規商品登録ウィザードの原稿ファイル指定画面に表示するガイダンスと、原稿ファイルの用途および使用ページ数との関係、及び原稿ファイルに必要なページ数を示す図である。
【図３４】新規商品登録ウィザードの原稿ファイル指定画面に表示するガイダンスと、原稿ファイルの用途および使用ページ数との関係、及び原稿ファイルに必要なページ数を示す図である（図３３の続き）。
【図３５】注文データのフォーマット（ＸＭＬ、ＤＴＤ）を示す図である（図９の続き）。
【図３６】注文データのフォーマット（ＸＭＬ、ＤＴＤ）を示す図である（図３５の続き）。
【発明を実施するための形態】
【００１０】
［第１の実施形態］
以下、本発明を実施するための最良の形態を、図面を参照しながら詳細に説明する。
【００１１】
図１は、本発明の実施の形態に係る電子入稿システムの概略構成を示すシステム構成図である。図１において、印刷注文クライアント・コンピュータ（以下、印刷注文クライアントと称する）１０２、電子入稿システム・サーバ（以下、電子入稿サーバと称する）１０３、商品登録クライアント・コンピュータ（以下、商品登録クライアントと称する）１０４、及びオペレータ用クライアント・コンピュータ（以下、オペレータ用クライアントと称する）１０５は、それぞれ後述する処理に係るアプリケーションプログラム等の各種のプログラムを実行可能であり、ＬＡＮ、ＷＡＮ、インターネット等のネットワーク１０
１に接続され、相互に通信可能となっている。
【００１２】
また、ネットワーク１０１にはプリンタ１０６、製本機器１０７も接続されている。プリンタ１０６は、オペレータ用クライアント１０５から送信される印字データを含む印刷ジョブを解析してドットイメージに変換して、１ページ毎に印刷する。なお、プリンタ１０６としては、電子写真方式を採用したレーザービームプリンタやインクジェット方式を採用したインクジェットプリンタや熱転写方式を利用したプリンタ、Ａ０などの大判印刷を行うプリンタ等、各種の印刷方式のものを使用することができる。製本機器１０７としては、くるみ製本機、断裁機など様々な機器を想定しているが、これらの機器は、必ずしもネットワーク１０１に接続されている必要はない。
【００１３】
なお、本実施形態では、少なくとも印刷注文クライアント１０２、プリンタ１０６は、ネットワーク１０１に複数台接続されていることを想定している。
【００１４】
電子入稿サーバ１０３は、印刷注文の受注、発注を管理するサーバであり、注文に関する情報、例えば、印刷体裁、製本設定（製本体裁）、原稿ファイル、納品先情報、部数などの注文情報を保存している。電子入稿サーバ１０３は、Ｗｅｂサーバとして機能し、印刷注文クライアント１０２、商品登録クライアント１０４、オペレータ用クライアント１０５より、Ｗｅｂブラウザを使用してアクセスを可能となっている。ただし、印刷注文クライアント１０２、商品登録クライアント１０４、オペレータ用クライアント１０５上で動作する専用アプリケーション（Ｗｅｂブラウザとは限らない）から、例えばＴＣＰ／ＩＰやＨＴＴＰなどの通信プロトコルを使用して、電子入稿サーバ１０３にアクセスするように構成してもよい。
【００１５】
ユーザは、印刷注文を発注する場合、印刷注文クライアント１０２により、Ｗｅｂブラウザを介して電子入稿サーバ１０３にアクセスし、印刷体裁、製本体裁、原稿ファイル、納品先情報、部数などを指定して、電子入稿サーバ１０３に対する発注処理を行う。この場合、ユーザは、商品情報を電子入稿サーバ１０３から印刷注文クライアント１０２にダウンロードし、その商品情報を参照して発注処理を行うことができる。
【００１６】
また、オペレータは、商品（受注側が用意する定型の印刷物）を登録する場合、商品登録クライアント１０４により、Ｗｅｂブラウザを介して電子入稿サーバ１０３にアクセスし、商品名などの商品情報、印刷体裁・製本体裁、原稿ファイルなどを指定して、電子入稿サーバ１０３に対する商品登録処理を行う。なお、商品としては、印刷体裁、製本体裁だけが規定され、原稿ファイルはユーザが自由に指定できる商品と、印刷体裁、製本体裁、原稿ファイルの全てが規定されている商品との２種類がある。
【００１７】
印刷注文クライアント１０２、又は商品登録クライアント１０４により指定された商品情報、印刷体裁・製本体裁、原稿ファイルなどは、電子入稿サーバ１０３にアップロードされ、電子入稿サーバ１０３で保存される。ただし、商品登録クライアント１０４により商品情報、印刷体裁・製本体裁、原稿ファイルなどが指定された場合、印刷注文を発注するユーザが注文時に参照可能とすべき商品情報のみを電子入稿サーバ１０３にアップロードし、印刷体裁・製本体裁、原稿ファイルなどは、別途設置した商品データ保存サーバ（図示省略）に送信して管理させてもよい。
【００１８】
オペレータは、受注処理、編集、印刷、配送処理などを行う場合、オペレータ用クライアント１０５により、Ｗｅｂブラウザを介して電子入稿サーバ１０３にアクセスし、電子入稿サーバ１０３から注文情報や原稿ファイルをダウンロードして、受注処理、編集、印刷、配送処理に係る作業を行う。なお、商品登録クライアント１０４とオペレータ用クライアント１０５は、１つのコンピュータで実現することも可能である。
【００１９】
図２は、本電子入稿システムのモジュール構成を示すブロック図である。
【００２０】
印刷注文クライアント１０２は、Ｗｅｂブラウザ１０２ａを有している。電子入稿サーバ１０３は、発注側Ｉ／Ｆ部１０３ａ、注文情報管理部１０３ｂ、受注側Ｉ／Ｆ部１０３ｃ、商品情報管理部１０３ｄを有している。オペレータ用クライアント１０５は、Ｗｅｂブラウザ１０５ａ、注文管理アプリケーション１０５ｂを有している。また、商品登録クライアント１０４は、商品登録部１０４ａ、商品データ管理部１０４ｂを有している。
【００２１】
電子入稿サーバ１０３の発注側Ｉ／Ｆ部１０３ａは、印刷発注クライアント１０２とのインターフェース部であり、Ｗｅｂサーバとして機能し、ＨＴＴＰ（Ｈｙｐｅｒ  Ｔｅｘｔ  Ｔｒａｎｓｆｅｒ  Ｐｒｏｔｏｋｏｌ）、ＨＴＴＰＳ（Ｈｙｐｅｒ  Ｔｅｘｔ  Ｔｒａｎｓｆｅｒ  Ｐｒｏｔｏｋｏｌ  Ｓｅｃｕｒｅｒ  ｓｏｃｋｅｔｓ  ｌａｙｅｒ）などによる要求を受付可能である。注文情報管理部１０３ｂは、注文情報と入稿された原稿ファイルを組にして保存・管理する。また、印刷注文クライアント１０２を使用するユーザやオペレータ用クライアント１０５を使用するオペレータを管理し、印刷注文情報の処理ステータスや課金情報なども管理する。
【００２２】
受注側Ｉ／Ｆ部１０３ｃは、集中印刷室（ＣＲＤ）やＰＯＤセンター、プリントショップなどと呼ばれる印刷注文を受注する側のコンピュータとのインターフェース部であり、発注側Ｉ／Ｆ部１０３ａと同様にＷｅｂサーバとして機能し、ＨＴＴＰ、ＨＴＴＰＳなどによる要求を受付可能である。
【００２３】
オペレータ用クライアント１０５の注文管理アプリケーション１０５ｂは、電子入稿サーバ１０３から取得した注文情報や原稿ファイルを表示すると共に、注文データ保管部１０５ｃに保存するアプリケーションである。
【００２４】
商品登録クライアント１０４の商品登録部１０４ａは、商品情報を登録するための商品登録アプリケーションを有する。この商品登録アプリケーションは、この登録処理に際して商品情報、印刷体裁、原稿ファイルなどを指定するためのＵＩ（ユーザインターフェース）を有し、ユーザにより指定されたこれらのデータを、商品データ管理部１０４ｂにより、商品データ保管部１０４ｃに保管・登録する機能を有している。また、商品登録アプリケーションは、商品情報を電子入稿サーバ１０３に転送して登録させる機能も有している。
【００２５】
次に、印刷発注から受注までの処理の流れを説明する。なお、後述する図３〜図６、図１６〜図１９、図２３〜図２９に示したＵＩ画面は、ユーザが原稿ファイルの指定等を行う場合に入力データの項目や入力データ等を案内する機能を有している。
【００２６】
印刷注文クライアント１０２のＷｅｂブラウザ１０２ａを介して電子入稿サーバ１０３の発注側Ｉ／Ｆ部１０３ａにアクセスすると、まず、「出力・製本」メニュー、「登録商品注文」メニューの何れかを選択するためのＵＩ画面（図示省略）が印刷注文クライアント１０２の表示部に表示される。このＵＩ画面上で「出力・製本」メニューを選択すると、「出力・製本」メニューに係る注文メニュー選択フォーム（ＵＩ画面：図示省略）が電子入稿サーバ１０３の発注側Ｉ／Ｆ部１０３ａから印刷注文クライアント１０２に返信され、印刷注文クライアント１０２の表示部に表示される。なお、この注文メニュー選択フォームでは、後述する図３、図４の上部に示したような「仕上がり選択」、「入稿設定」、「印刷体裁の設定」、「納品情報の設定」、「依頼元の設定」、「オーダーの確認」の各メニュー（サブメニュー）を選択することができる。
【００２７】
この注文メニュー選択フォームに係るＵＩ画面上で「入稿」メニューを選択すると、図３に示したような原稿ファイルを入稿するためのＵＩ画面が同様に印刷注文クライアント１０２に返信されて表示される。なお、各注文メニューの項目は、何れのメニューが選択された場合でも、常時表示されている。原稿ファイル入稿用のＵＩ画面上で原稿ファイル、ページ数等を指定してアップロード（入稿）を指示すると、それら原稿ファイル、ページ数等が電子入稿サーバ１０３の発注側Ｉ／Ｆ部１０３ａにアップロードされる。このページ数は、印刷料金の見積りや、デバイスでの印刷などの処理における予想処理時間の計算などに使用される。また、１件の注文で、複数の印刷、商品を発注できる仕組みとなっており、それぞれの印刷物、商品に対して、印刷体裁、製本体裁、納品先、部数、原稿ファイルなどを指定する。この１件の注文で発注される複数の印刷物、商品のそれぞれをサブオーダと呼ぶ。
【００２８】
図３の「入稿設定」に係るＵＩ画面上で「次」ボタンをクリックして「印刷体裁の設定」メニューに進むと、図４に示したような印刷体裁を設定するためのＵＩ画面が表示される。この「印刷体裁の設定」に係るＵＩ画面では、Ａ４等の仕上がりサイズ、原稿の調整（仕上がりサイズに応じた原稿の拡大／縮小）、くるみ製本等の製本の種類、綴じ方向、片面印刷／両面印刷、モノクロ印刷／カラー印刷、白黒標準紙等の用紙タイプ、表紙印刷の実行／非実行等を設定することができる。
【００２９】
なお、図示省略したが、「納品情報の設定」メニューでは、注文件名、納品先情報、部数などを設定することができ、「依頼元の設定」メニューでは、依頼者（発注者）の名称、メールアドレス、電話番号等を設定することができる。これら「出力・製本」メニューで設定されたオーダー情報は、図示省略した「オーダー情報の確認」メニューに係るＵＩ画面上で「オーダー」ボタンをクリックすることにより、電子入稿サーバ１０３の発注側Ｉ／Ｆ部１０３ａに送信（発注）される。
【００３０】
発注側Ｉ／Ｆ部１０３ａは、印刷注文クライアント１０２から送信されたオーダー情報（ＵＩ画面での各設定値）を解析して、所定のフォーマットで注文データを作成し、その注文データを原稿ファイル、ページ数と共に注文情報管理部１０３ｂに転送する。注文情報管理部１０３ｂは、オーダー情報を原稿ファイルと共にハードディスク等の所定の記憶媒体に追加・保存して管理すると共に、受注側Ｉ／Ｆ部１０３ｃを介して注文管理アプリケーション１０５ｂに新規発注があった旨を通知する。
【００３１】
この際、注文情報管理部１０３ｂは、新規に発注された注文の注文ＩＤのリストを注文管理アプリケーション１０５ｂに送信する。ただし、注文管理アプリケーション１０５ｂ側から、ＴＣＰ／ＩＰやＨＴＴＰ，ＨＴＴＰＳなどの通信プロトコルを使用し、定期的に、受注側Ｉ／Ｆ部１０３ｃに新規発注の有無を問合せるように構成してもよい。或いは、電子入稿サーバ１０３が新規発注を受けた際に、新規発注を通知するためのＥメールを注文情報管理部１０３ｂからオペレータ用クライアント１０５のオペレータ宛に送信し、そのＥメールを受け取ったオペレータが、オペレータ用クライアント１０５のＷｅｂブラウザ１０５ａを起動して、受注側Ｉ／Ｆ部１０３ｃにアクセスすることにより、オーダー情報の参照や原稿ファイルのダウンロードを可能とする構成であってもよい。
【００３２】
注文管理アプリケーション１０５ｂは、新規発注があった旨の通知を受けると、その新規発注に係るオーダー情報、原稿ファイルを電子入稿サーバ１０３からダウンロードし、注文データ保管部１０５ｃに保存する。この注文データ保管部１０５ｃとしては、オペレータ用クライアント１０５上のローカルハードディスク、ファイルサーバ（図示省略）上の共有ディレクトリ／フォルダ、文書管理システム（図示省略）などを使用することができる。
【００３３】
なお、注文管理アプリケーション１０５ｂは、新規発注がなされる毎に電子入稿サーバ１０３から送信されてくる注文ＩＤのリストを蓄積しており、その注文ＩＤのリストを表示することができる（図５参照）。そして、その注文ＩＤリストから注文ＩＤが選択されると、選択された注文ＩＤに係る詳細情報（印刷体裁、製本体裁、原稿ファイル、納品先情報、部数など）を表示する（図５参照）。また、注文管理アプリケーション１０５ｂは、表示された原稿ファイルをオペレータの指示に基づいてオープンし、編集、印刷などの処理に供することができる。
【００３４】
図５は、注文管理アプリケーション１０５ｂのＵＩ画面例である。図５では、注文リスト部に注文の一覧と、その注文に属するサブオーダを階層構造で表示している。注文リスト部に表示された注文を選択すると、選択に係る注文の詳細な情報（注文者情報など）が詳細情報表示部に表示され、サブオーダを選択すると、各印刷物、商品に関する印刷体裁、製本体裁、原稿ファイルの一覧、部数などが表示される。
【００３５】
次に、商品の登録及び注文処理の流れについて説明する。
【００３６】
商品登録クライアント１０４上の商品登録部１０４ａの商品登録アプリケーションは、商品情報（商品名、単価など）、印刷体裁、製本体裁、原稿ファイルをユーザに指定させて登録するためのＵＩ画面を表示する機能を有している。このＵＩ画面から商品情報等が指定されると、商品登録アプリケーションは、商品ＩＤを発行し、この商品ＩＤ、及び指定情報を商品データ管理部１０４ｂにより商品データ保管部１０４ｃにファイル形式で登録・保存させる。この際、商品データ管理部１０４ｂは、商品ＩＤをキーにして商品情報、印刷体裁、製本体裁、原稿ファイルを検索して取得することができるように保存する。
【００３７】
商品データ保管部１０４ｃとしては、ファイルサーバ上の共有ディレクトリ／フォルダや文書管理システムなどを使用できる。さらに、商品登録アプリケーションは、受注側Ｉ／Ｆ部１０３ｃを介して、商品情報等の指定情報と商品ＩＤを電子入稿サーバ１０３に送信する。電子入稿サーバ１０３は、送信された商品情報等の指定情報、商品ＩＤを商品情報管理部１０３ｄで保存・登録する。
【００３８】
印刷注文クライアント１０２上のＷｅｂブラウザ１０２ａにより、前述の「登録商品注文」メニュー（登録されている商品を注文するメニュー）を選択すると、電子入稿サーバ１０３の発注側Ｉ／Ｆ部１０３ａは、注文情報管理部１０３ｂを介して商品情報管理部１０３ｄから商品情報と商品ＩＤのリストを取得して商品注文フォーム（ＵＩ画面）を作成し、印刷注文クライアント１０２に返送する。ユーザが印刷注文クライアント１０２に表示されたＵＩ画面上で注文する商品を選択し、注文件名、納品先情報、部数などを入力して送信操作を行うと、それら情報が電子入稿サーバ１０３の発注側Ｉ／Ｆ部１０３ａに送信される。発注側Ｉ／Ｆ部１０３ａは、印刷注文クライアント１０２から送信された商品オーダー情報（ＵＩ画面での各設定値）を解析して、所定のフォーマットで注文データを作成し、その注文データを注文情報管理部１０３ｂに転送する。
【００３９】
注文情報管理部１０３ｂは、商品オーダー情報を原稿ファイルと共にハードディスク等の所定の記憶媒体に追加・保存して管理すると共に、受注側Ｉ／Ｆ部１０３ｃを介して、新規発注があった旨をオペレータ用クライアント１０５の注文管理アプリケーション１０５ｂに通知する。
【００４０】
注文管理アプリケーション１０５ｂは、新規発注の通知を受けると、商品オーダー情報（商品ＩＤを含む）を受注側Ｉ／Ｆ部１０３ｃを介して取得して解析する。その注文内容が、商品注文である場合には、注文管理アプリケーション１０５ｂは、注文された商品の商品ＩＤに対応する商品の印刷体裁データ、原稿ファイルなどを商品登録クライアント１
０４の商品データ管理部１０４ｂを介して取得し、オペレータ用クライアント１０５のＵＩ画面上に表示する。
【００４１】
図６は、商品登録アプリケーションのＵＩ画面例である。このＵＩ画面例では、商品を「ドキュメント」と表現しており、階層構造を持つカテゴリという概念で商品を分類している。１つのカテゴリには、複数のカテゴリと複数の商品を格納でき、商品登録アプリケーションのＵＩ画面上でカテゴリを作成、削除することができる。このカテゴリとその階層構造は、注文を行うユーザが、印刷注文クライアント１０２のＵＩ画面上で前述の「登録商品注文」メニューを選択した際にも表示される。このカテゴリの階層を辿ることにより、多数の商品の中から、希望の商品を迅速に見つけることができるようにしている。
【００４２】
図７は、商品登録アプリケーションにより作成、登録・管理される商品データを格納するためのデータファイルのフォーマットを示しており、図７（ａ）は、商品登録データのフォーマットを示し、図７（ｂ）は、カテゴリ構造管理データのフォーマットを示している。商品登録データファイルは、ＣＳＶ（Ｃｏｍｍａ  Ｓｅｐａｒａｔｅｄ  Ｖａｌｕｅ
ｆｏｒｍａｔ）形式とし各行が１つの商品、もしくはカテゴリを表している。
【００４３】
商品登録データファイルは、商品登録アプリケーションにより作成された後、商品データ管理部１０４ｂにより、商品データ保管部１０４ｃに保管される。また、商品登録データファイルは、ユーザが商品登録アプリケーションにより電子入稿サーバ１０３への登録を指示した場合に、ネットワーク１０１を介して、受注側Ｉ／Ｆ部１０３ｃへ送信される。この場合、受注側Ｉ／Ｆ部１０３ｃは、受信した商品登録データファイルを解析し、カテゴリ構造、商品情報を復元し、注文情報管理部１０３ｂを介して商品情報管理部１０３ｄに登録する。
【００４４】
本実施形態では、ネットワーク１０１のトラフィックを軽減するため、商品データだけを電子入稿サーバ１０３に送信するようにしている。ただし、印刷体裁情報、原稿ファイルなどを電子入稿サーバ１０３に送信するように構成してもよい。また、商品登録データファイルのフォーマットは、ＣＳＶではなくＸＭＬ（ｅＸｔｅｎｓｉｂｌｅ  Ｍａｒｋｕｐ  Ｌａｎｇｕａｇｅ）形式など別のフォーマットや形式のものを使用しても構わない。
【００４５】
本実施形態では、印刷注文データ、及び商品注文データについては、ＸＭＬ形式で記述している。図８、図９、図３５、図３６は、注文データのフォーマットを規定したＤＴＤ（Ｄｏｃｕｍｅｎｔ  Ｔｙｐｅ  Ｄｅｆｉｎｉｔｉｏｎ）の一部を示す図である。
【００４６】
図８の２行目〜３行目の要素を規定する＜！ＥＬＥＭＥＮＴに示したように、注文データは、注文情報（ＯｒｄｅｒＩｏｆｏ）（８２２）、注文者情報（Ｏｒｄｅｒｅｒ）（８３２）、課金情報（ＯｒｄｅｒＣｈａｒｇｅ）（９１３）、配送先情報（Ｄｅｌｉｖｅｒｙ）（９２６）などや、１つ以上のＳｕｂＯｒｄｅｒエレメント（９３５）を持ち、このＳｕｂＯｒｄｅｒエレメント以下に、商品や、印刷物に関する詳細な情報が記載される。ＳｕｂＯｒｄｅｒエレメントには、原稿ファイル情報（ＰｒｉｎｔＤａｔａ）（２３１３）、料金（Ｃｈａｒｇｅ）（９１４）、コスト（Ｃｏｓｔ）（９３２）などに関する情報と、印刷体裁、製本体裁などを記載するためのＰｒｏｄｕｃｔ（２３３７）エレメントを持つ。また、部数（ｃｏｐｙ属性）（９４１）を持つ。
【００４７】
Ｐｒｏｄｕｃｔエレメントは、本文（Ｂｏｄｙ）（２３４０）、表紙・裏表紙（Ｃｏｖｅｒ）（２４１１）、製本体裁（ＰｏｓｔＰｒｉｎｔ）（２４１５）エレメントを持ち、それぞれに、どの原稿ファイルの何ページ目を使用するか、また、それらの印刷順序を示した印刷ファイル情報（ＲｅｌａｔｅｄＰｒｉｎｔＤａｔａ）（２４０５）や、印刷体裁情報（Ｃａｔｅｇｏｒｙ−Ｅｎｕｍ）（２３２６、２３３０）を記載する。
【００４８】
印刷体裁情報は、Ｃａｔｅｇｏｒｙエレメントのｔｙｐｅ属性（２３２８）が印刷体裁・製本体裁項目を表し、そのＣａｔｅｇｏｒｙエレメント下にあるＥｎｕｍエレメントのｔｙｐｅ属性（２３３２）が該当印刷体裁・製本体裁の設定項目の設定値を表す。印刷体裁、製本体裁の設定項目としては、仕上りサイズ、原稿の調整、出力用紙の向き、製本の種類、とじ方向、片面印刷／両面印刷、カラーモード、用紙タイプ、パンチ穴、折り、断裁などがある。
【００４９】
表紙・裏表紙（Ｃｏｖｅｒ）における印刷体裁情報のＣａｔｅｇｏｒｙエレメントのｔｙｐｅ属性が”ｆｒｏｎｔＣｏｖｅｒＴｙｐｅ”であるものが表紙（表表紙）の印刷設定を示し、”ｂａｃｋＣｏｖｅｒＴｙｐｅ”であるものが裏表紙の印刷設定を示し、該当するＣａｔｅｇｏｒｙエレメント下のＥｎｕｍエレメントのｔｙｐｅ属性が”１ｓｉｄｅＰｒｉｎｔ”であれば「片面印刷」、”２ｓｉｄｅＰｒｉｎｔ”であれば「両面印刷」、”ｎｏｎＰｒｉｎｔ”であれば「印刷なし」を示す。該当するＣａｔｅｇｏｒｙエレメントが存在しない場合には、「表紙なし」や「裏表紙なし」を表す。
【００５０】
図１０〜図１３は、前述の「出力・製本」メニューに係るＵＩ画面から注文を行った場合に、受注側Ｉ／Ｆ部１０３ｃから注文管理アプリケーション１０５ｂに送信される印刷注文データ（ＸＭＬデータ）の一部を示す図である。
【００５１】
「出力・製本」メニューに係るＵＩ画面から印刷注文を行う場合には、印刷体裁・製本体裁を指定し、さらに原稿ファイルのアップロードを行って注文処理が行われ、これらの情報が図８、図９、図３５、図３６のＤＴＤに従って注文データとして記載される。
【００５２】
図１４、図１５は、前述の「登録商品注文」メニューにより注文を行った場合に、受注側Ｉ／Ｆ部１０３ｃから注文管理アプリケーション１０５−２に送信される商品注文データ（ＸＭＬデータ）の一部を示す図である。
【００５３】
ＳｕｂＯｒｄｅｒエレメントのＲｅｌａｔｅｄＩｎｆｏエレメントのうち、ｋｅｙ属性が”ｆｌｏｗＮｏ”であるエレメントの“ｄａｔａ”属性の値により、商品注文、印刷注文の何れであるかを判別できるようにしている。ＳｕｂＯｒｄｅｒエレメントのＲｅｌａｔｅｄＩｎｆｏエレメントのうち、ｋｅｙ属性が”ｍａｎｕａｌＩｄ”であるエレメントの“ｄａｔａ”属性に、注文された商品の商品ＩＤを記載する。
【００５４】
各商品の印刷体裁や、原稿ファイルなどは、商品データ保存部１０４Ｃに保存されており、電子入稿サーバ１０３には送信されないため、図１４、図１５の商品注文データには、印刷体裁や、原稿ファイルなどに関する情報は記載されていない。このため、注文管理アプリケーション１０５ｂでは、商品注文データを解析して商品ＩＤを取得し、商品データ管理部１０４Ｃを介して対応する印刷体裁や、原稿ファイルなどに関する情報を取得する。商品データとして取得される印刷体裁・製本情報も図８、図９、図３５、図３６のＤＴＤに従ったＸＭＬファイルであり、ＳｕｂＯｒｄｅｒエレメントが１つだけ存在し、それ以下に印刷注文データと同様に印刷体裁・製本体裁が記載されている。
【００５５】
次に、商品登録アプリケーションによる商品登録処理の流れについて詳細に説明する。
【００５６】
商品登録アプリケーションでは、商品登録を行う前に、登録する商品の印刷体裁、製本体裁を設定するための印刷体裁テンプレートを作成する。新規に商品登録を行う際には、予め作成された印刷体裁テンプレートを使用するか、その場でテンプレートを作成して使用する。
【００５７】
図１６は、商品登録アプリケーションの印刷体裁テンプレート管理ダイアログ画面を示している。表示領域１００１には、登録済みの印刷体裁テンプレートの一覧が表示されており、表示項目としてテンプレート名と、本文、表紙／本文／裏表紙等の当該テンプレートを使用する際に必要となる原稿ファイルの用途１００５が表示されている。
【００５８】
この一覧表示された登録済みの印刷体裁テンプレートの中から所望の印刷体裁テンプレートを選択すると、そのテンプレートの詳細な設定内容が表示領域１００２に表示される。印刷体裁テンプレートの情報は、後述する印刷体裁テンプレートファイル、印刷体裁テンプレート管理ファイルとして商品データ保管部１０４ｃに保管されており、商品登録アプリケーションは、この印刷体裁テンプレート管理ファイルを商品データ保管部１０４ｃから取得することにより、印刷体裁テンプレート情報を表示する。
【００５９】
「新規作成」ボタン１００３を押下することにより、図１７〜図１９の印刷体裁テンプレート作成ダイアログ画面が表示され、この印刷体裁テンプレート作成ダイアログ画面上でテンプレートを作成することができる。
【００６０】
用途１００５として表示される情報は、各印刷体裁テンプレートを使用して商品を登録する際に必要となる原稿ファイルの用途の組合せである。例えば［表紙／裏表紙／本文］と表示されている場合には、その印刷体裁テンプレートを使用した場合、表紙と裏表紙として使用する原稿ファイルと、本文として使用する原稿ファイルが必要であることを示す。
【００６１】
本実施形態では、用途毎に、登録可能な原稿ファイルの数が決められている。この用途の種類と各用途として登録可能な原稿ファイルの数を図２０に示す。図２０に示したように、用途が「本文」である原稿ファイルを登録する場合には複数個登録できるが、それ以外の用途として使用する原稿ファイルは、それぞれ１つしか登録できないように決められている。
【００６２】
図１７は、印刷体裁テンプレート作成ダイアログ画面の基本設定に係る画面を示している。基本設定では、仕上がりサイズ、原稿の調整（仕上がりサイズに合わせて拡大／縮小するかどうかを設定）、出力用紙の向き、製本の種類（中とじ製本、くるみ製本、ステイプルなどから選択）、とじ方向（左／右／上／その他）、印刷（本文の印刷を片面／両面のどちらで行うかを選択）、カラー／モノクロモード、白黒標準紙等の用紙タイプを設定する。
【００６３】
図１８は、印刷体裁テンプレート作成ダイアログ画面の表紙設定に係る画面を示している。表紙設定では、原稿ファイルの使用方法として、「表紙、本文、裏表紙で別々の原稿ファイルを使用する」、「全体で１つの原稿ファイルを使用する」、「表紙／裏表紙用の原稿ファイルと本文用の原稿ファイルを使用する」のうちから１つを選択する。さらに、表紙を付けるか否かを選択し、表紙を付ける場合には、表紙への印刷を片面、両面の何れで行うか、印刷を行わないかを選択する。裏表紙についても、表紙と同様の選択を行う。また、表紙、裏表紙で共通の設定として、カラー／モノクロモード、用紙タイプを設定する。
【００６４】
図１９は、印刷体裁テンプレート作成ダイアログ画面の加工設定に係る画面を示している。加工設定では、パンチ穴（２穴、３０穴などから選択）、折り（２つ折／３つ折り／Ｚ折り／その他／なし）、断裁（１ヶ所／３ヶ所／しない）について設定する。
【００６５】
なお、印刷体裁テンプレート作成ダイアログで常に表示されている最上部の「テンプレート名」のエディットボックス（図１７〜図１９参照）には、テンプレート名を入力する
。また、印刷体裁テンプレート作成ダイアログの各設定タブの画面において、設定を行い「ＯＫ」ボタンを押下することにより、これら設定内容に係る印刷体裁テンプレートが商品データ保管部１０４ｃに追加登録される。
【００６６】
商品登録アプリケーションは、図１８の表紙設定画面で設定された表紙設定の内容に応じて、この印刷体裁テンプレートを使用して商品を登録する際に必要な原稿ファイルの用途の組合せを判定する。その判定方法を図２１に示す。例えば、図１８の表紙設定画面で、ファイルの使用方法として「表紙／裏表紙用のファイルと本文用のファイルを使用する」を設定し、「表紙を付ける：片面」、「裏表紙を付ける：片面」のように設定した場合は、図２１の８行目に相当するので、原稿ファイルの用途は、「本文」と「表紙／裏表紙」となる。このように、商品登録アプリケーションは、表紙、裏表紙への印刷設定と、ファイルの使用方法の設定に基づいて、どのような用途で使用される原稿ファイルが必要であるかを決定する。
【００６７】
商品登録アプリケーションは、印刷体裁テンプレートの新規追加が指示されると、新規追加されるテンプレートに対してテンプレートＩＤを発行する。さらに、商品登録アプリケーションは、図８、図９、図３５、図３６に示した注文情報データのＤＴＤに従ったＸＭＬファイルを作成し、印刷体裁テンプレート作成ダイアログ画面で指定された印刷体裁、製本体裁をこのＸＭＬファイルに設定し、商品データ管理部１０４ｂを介して印刷体裁テンプレートファイルとして商品データ保管部１０４ｃに保管させる。また、商品登録アプリケーションは、印刷体裁テンプレートの情報を管理する印刷体裁テンプレート管理ファイルに、新規作成に係るテンプレート情報を追加し、この印刷体裁テンプレート管理ファイルも印刷体裁テンプレートファイルと同様に、商品データ保管部１０４ｃに保管させる。
【００６８】
図２２は、印刷体裁テンプレート管理ファイルのフォーマットを示している。この印刷体裁テンプレート管理ファイルには、印刷体裁テンプレート毎に、「テンプレートＩＤ」、「テンプレート名」、「用途組合せＩＤ」が記載される。「用途組合せＩＤ」は、本文、表紙、表紙と本文などの原稿ファイルの用途毎にビットを割り当てた１６進８桁の数値の和で、原稿ファイルの用途の組合せの種類を表現している。この「用途組合せＩＤ」は、新規の商品を登録する際に、選択された印刷体裁テンプレートで、どのような用途の原稿ファイルが必要であるかを判定するために使用される。
【００６９】
図２３〜図２７は、商品登録アプリケーションにおける新規商品登録ウィザードの画面を示す図である。この新規商品登録ウィザードは、商品登録アプリケーションにおいて、新規商品の登録を指定することで起動する。すなわち、図６の商品登録アプリケーションのＵＩ画面において、「ドキュメントの登録」ボタンを押下することにより、新規商品登録ウィザードを起動する。
【００７０】
新規商品登録ウィザードでは、まず、商品情報入力画面（図２３）において、商品情報を入力する。この商品情報入力画面では、商品名称１７０１、商品コード１７０２、単価１７０３、ページ数１７０４、コメント１７０５などを、商品情報として入力する。「次へ」ボタン１７０６を押下することにより、次のウィザード画面である印刷体裁テンプレート選択画面へ遷移する。
【００７１】
図２４は、新規商品登録ウィザードの印刷体裁テンプレート選択画面を示す図である。表示領域１８０１には、登録済みの印刷体裁テンプレートの一覧が表示されており、その表示項目としてテンプレート名１８０３と、原稿ファイルの用途１８０４が表示されている。この印刷体裁テンプレート選択画面上で所望の印刷体裁テンプレートを選択すると、そのテンプレートの詳細な設定内容が領域１８０２に表示される。なお、印刷体裁テンプ
レート選択画面の新規作成ボタン１８０５を押下することにより、図１７〜図１９の印刷体裁テンプレート作成ダイアログ画面が起動され、商品登録時に新規に印刷体裁テンプレートを作成することも可能である。
【００７２】
図２４の画面において、印刷体裁テンプレートの一覧表示から使用する印刷体裁テンプレートを選択し、「次へ」ボタン１８０６を押下することにより、次のウィザード画面である原稿ファイル選択画面へ遷移する。
【００７３】
図２５は、新規商品登録ウィザードの表紙用の原稿ファイルを指定する画面を示し、図２６は、本文用の原稿ファイルを指定する画面を示している。この原稿ファイル指定画面の表示内容は、印刷体裁テンプレート選択画面（図２４）で選択した印刷体裁テンプレートを適用する原稿ファイルの用途により動的に切り換えられる。
【００７４】
すなわち、商品登録アプリケーションは、原稿ファイルをその用途に応じて間違いなく指定させるため、図２４、図２５のように、原稿ファイルの用途ごとに個別に原稿ファイル指定画面を表示する。また、選択した印刷体裁テンプレートの内容（表紙や裏表紙の有無、それら表紙や裏表紙に対する片面印刷／両面印刷、くるみ製本など）に応じて、用途別の原稿ファイル指定画面の表示順序を切り換えることにより、用途毎の原稿ファイルの指定順序（すなわち印刷順序）を規定する。
【００７５】
これらの原稿ファイル指定画面では、指定すべき原稿ファイルの用途をガイダンス部分表示する。すなわち、表紙用の印刷ファイルの指定画面（図２５）では、ガイダンス部１９０１に「表紙に使用するファイルを指定してください。」と表示しており、本文用の印刷ファイルの指定画面（図２６）では、ガイダンス部２００１に「本文に使用するファイルを指定してください。」と表示している。なお、図示省略したが、例えば、表紙と裏表紙に使用する原稿ファイルを指定する必要がある場合には、原稿ファイル指定画面のガイダンス部に「表紙／裏表紙に使用するファイルを指定してください。」と表示することになる。
【００７６】
図２５、図２６の原稿ファイル追加ボタン（図では「Ｗｉｎｄｏｗｓ（登録商標）フォルダを参照」）１９０３、２００３を押下してファイルを選択することで、商品に使用する原稿ファイルを追加することができる。追加された原稿ファイルは、ファイル一覧部１９０２、２００２に表示される。ただし、図２０に示したように、本文以外の用途では、複数の原稿ファイルを指定することが禁止されているので、本文以外の用途に使用する原稿ファイルの指定画面では、原稿ファイルが１つ指定されると、原稿ファイル追加ボタンの操作が不可となり、原稿ファイルの指定ミスを未然に防止することができる。
【００７７】
また、図２６の本文に使用する原稿ファイルの指定画面において、本文用の原稿ファイルを複数指定した場合には、ファイル一覧部２００２でファイルを選択し、ファイル順変更ボタン２００５を押下することにより、簡単に本文用の原稿ファイルの印刷順序を変更することができる。
【００７８】
原稿ファイル指定画面において、原稿ファイルが１つ以上指定され、「次へ」ボタン１９０４、２００４が押下されると、次のウィザード画面へ遷移する。このとき、選択された印刷体裁テンプレートで必要な用途の原稿ファイルが全て指定されていなければ、その用途の原稿ファイルを指定するための原稿ファイル指定画面へ遷移するので、原稿ファイルの指定漏れを防止することができる。全ての用途の原稿ファイルが指定された場合には、最後の登録確認画面へ遷移する。
【００７９】
図２７は、新規商品登録ウィザードの登録確認画面を示す図である。ドキュメントの設
定の確認欄２１０１には、これまでの新規商品登録ウィザード画面で指定された商品情報、印刷体裁テンプレート、原稿ファイルの情報が表示される。担当者への連絡事項の欄２１０２には、作業担当者への連絡事項を入力することができる。この連絡事項は商品の注文画面には表示させない情報であり、この商品の印刷を受注した際に注意すべき点などについて、オペレータへ知らせるための情報を入力する。
【００８０】
登録内容を確認し、「登録」ボタン２１０３を押下すると、商品情報データが確定し、新規商品が商品登録アプリケーションにより登録される。この場合、商品登録アプリケーションは、商品ＩＤを発行し、商品情報データに新規商品の情報を追加し、商品データ保管部１０４ｃに保管する。また、商品データ管理ファイルを作成し、選択された印刷体裁テンプレート、指定された原稿ファイルと共に、商品データ保管部１０４ｃに保管する。商品データ管理ファイルには、印刷体裁テンプレート名、及び各原稿ファイルについて、ファイル名、用途、印刷順序を格納する。
【００８１】
商品登録クライアント１０４を操作するオペレータは、商品登録アプリケーションを用いて、適当な時期に商品情報データを電子入稿サーバ１０３へアップロードする。このアップロード処理は、図６に示した商品登録アプリケーションのＵＩ画面上の「サーバへアップロード」ボタンを押下することにより実行される。この場合、商品登録アプリケーションは、ネットワーク１０１を介して受注側Ｉ／Ｆ部１０３ｃへ商品データファイルを転送する。
【００８２】
注文管理アプリケーション１０５ｂは、商品注文を受注したことを検知すると、商品注文データを解析し、注文された商品の商品ＩＤを取得する。続いて、注文管理アプリケーション１０５ｂは、商品データ管理部１０４ｂを介して、商品ＩＤに対応する商品の商品データ管理ファイル、印刷体裁テンプレート、原稿ファイルを商品データ保管部１０４ｃから取得し、これらを解析してＵＩ画面上に表示する。
【００８３】
この際、注文管理アプリケーション１０５ｂは、商品データ管理ファイルと、印刷体裁テンプレートの情報に基づいて、「表紙、裏表紙が付けられているか」、「表紙、裏表紙として印刷すべき原稿ファイルと、そのページ番号」、「本文として印刷すべき原稿ファイルと、そのページ番号と、原稿ファイルの印刷順序」を解析する。これらの情報は、印刷体裁テンプレートを作成した際に指定された情報と、商品登録時に指定された情報から導くことができる。注文管理アプリケーション１０５ｂは、これらの情報に基づいて、表紙、本文、裏表紙毎に、印刷体裁と原稿ファイルのリストをＵＩ画面上に表示する。
【００８４】
図２８、図２９に注文管理アプリケーション１０５ｂのＵＩ画面を示す。図２８、図２９のＵＩ画面では、印刷体裁・製本体裁として、「表紙：両面」、「裏表紙：印刷しない」、「本文：両面」、「原稿ファイルの使用方法：全体で１つのファイルを使用する」を指定した印刷体裁テンプレートを使用して、２０ページの１つの原稿ファイルを登録した商品の注文を受注した場合の商品データを表示したＵＩ画面を示している。
【００８５】
画面中央部にある表紙タブ、本文タブ、又は裏表紙タブを選択することにより、表紙、本文、又は裏表紙に係る印刷体裁、原稿ファイルの情報を切換えて表示することができる。また、それぞれの用途で使用する原稿ファイルのリストや印刷（使用）ページについても表示することにより、表紙として使用すべきページ、本文として使用すべきページなどを明確に把握できるようにしている。表紙、本文、裏表紙で共通の設定である製本体裁、印刷部数などについては、それぞれのタブで常に表示するようにしている（［仕上げ情報の部分）。
【００８６】
ここまでは、商品登録における印刷体裁・製本体裁の設定方法、原稿ファイルの使用方
法、原稿ファイルの指定方法について説明したが、これらの指定方法は、一般の出力・印刷・製本注文においても同様の指定方法を応用することができる。
【００８７】
［第２の実施形態］
次に、第１の実施形態の電子入稿システムを機能拡張した第２の実施形態を説明する。
【００８８】
図１７〜図１９に示した印刷体裁テンプレート作成ダイアログ画面で指定された設定と、図２１に示した当該印刷体裁テンプレートを使用して商品を登録する際に指定しなければならない原稿ファイルの用途の組合せの関連を拡張した図を、図３０〜図３２に示す。
【００８９】
第２の実施形態に係る商品登録アプリケーションは、印刷体裁テンプレート作成ダイアログ画面の表紙設定画面で設定された表紙設定の内容に応じて、この印刷体裁テンプレートを使用して商品を登録する際に必要な原稿ファイルの用途に加えて、原稿ファイルの各ページをどの用途として使用するかについても判定する。図３０〜図３２は、その判定方法を示している。なお、図３０は、表紙、本文、裏表紙で別々の原稿ファイルを使用する場合の判定方法を示し、図３１は、表紙、本文、裏表紙の全体で１つの原稿ファイルを使用する場合の判定方法を示し、図３２は、表紙／裏表紙用の原稿ファイルと本文用の原稿ファイルを使用する場合の判定方法を示している。
【００９０】
例えば、表紙設定画面で、ファイルの使用方法：「表紙／裏表紙用のファイルと本文用のファイルを使用する」、表紙を付ける：「両面」、裏表紙を付ける：「片面」のように設定した場合、図３２の１２行目に該当し、原稿ファイルの用途とページ数は、「表紙２ページ／裏表紙１ページ」と、「本文」となる。すなわち、表紙は両面印刷であるため、表紙として使用するページ数は「２」となり、裏表紙は片面印刷であるため１ページを使用する。これに加えて、ファイルの使用方法として「表紙／裏表紙用のファイルと本文用のファイルを使用する」が選択されていることから、「表紙と裏表紙」に使用する原稿ファイルは、全体で３ページ必要であり、そのような原稿ファイルの中から１〜２ページ目が表紙、３ページ目が裏表紙であるような原稿ファイルを指定する必要があることが判定できる。
【００９１】
また、表紙設定画面で、ファイルの使用方法：「全体で１つのファイルを使用する」、表紙を付ける：「両面」、裏表紙を付ける：「印刷しない」のように設定した場合、図３１の１０行目に該当し、原稿ファイルの用途とページ数は、「表紙２ページ／本文」となる。この場合、「表紙と本文」に使用する原稿ファイルは、全体で３ページ以上必要であり、そのような原稿ファイルの中から１〜２ページ目が表紙、３ページ目以降が本文であるような原稿ファイルを指定する必要があることが判定できる。
【００９２】
商品登録アプリケーションは、上記のように、表紙、裏表紙への印刷設定と原稿ファイルの使用方法の設定に基づいて、指定すべき原稿ファイルのタイプを判定している。
【００９３】
商品登録アプリケーションは、さらに、この判定結果に基づいて、新規商品登録ウィザードの原稿ファイル指定画面において、さらに詳しいガイダンスを表示する。図３３、図３４は、原稿ファイル指定画面において表示されるガイダンスと、原稿ファイルの用途および使用ページ数の関連、及び、原稿ファイルに必要なページ数について示す図である。
【００９４】
例えば、原稿ファイルの用途とページ数が「表紙２ページ／本文／裏表紙１ページ」である場合には、その原稿ファイルを指定する原稿ファイル指定画面のガイダンスには、「１〜２ページ目を表紙、３ページ目〜最後から２ページ目を本文、最後から１ページ目を裏表紙に使用するファイルを指定してください。」のようにガイダンス表示されるので、指定すべき原稿ファイルの形態を容易に認識することが可能となる。
【００９５】
商品登録アプリケーションは、さらに、原稿ファイル指定画面において、原稿ファイルが指定されて、「次へ」ボタンが押下されたときに、原稿ファイルに含まれるページ数を調査し、図３３、図３４に示すページ数の条件を満たしているか否かを検査する。原稿ファイルに含まれるページ数を調査する方法としては、Ｍｉｃｒｏｓｏｆｔ社の  Ｗｏｒｄ（登録商標）などで作成された原稿ファイルであれば、ＯＬＥ（Ｏｂｊｅｃｔ  Ｌｉｎｋｉｎｇ  ａｎｄ  Ｅｍｂｅｄｄｉｎｇ）を使用してページ数を取得できる。また、ＰＤＦ（Ｐｏｒｔａｂｌｅ  Ｄｏｃｕｍｅｎｔ  Ｆｏｒｍａｔ  ｆｉｌｅ）などのファイルをパースすることにより、ページ数を取得することができる場合もある。もし、ページ数の条件を満たしていない場合には、商品登録アプリケーションは、警告を表示して原稿ファイル指定画面に自動的に戻ることにより、原稿ファイルの再指定を促し、原稿ファイルを正しく指定するように仕向ける。
【００９６】
第２の実施形態では、これらの機能により、第１の実施形態よりも一層、印刷体裁、製本体裁と原稿ファイルとの整合性を高めることができ、受注後の編集、印刷、製本作業を円滑に進めることができるようになる。
【００９７】
以上説明したように、印刷体裁・製本体裁と原稿ファイルの使用方法を指定し、こられの情報に基づいて原稿ファイルを表紙、本文、裏表紙などの順に個別に指定するようにすることにより、印刷体裁・製本体裁と整合のとれた原稿ファイルを指定させることができ、受注後の編集、印刷、製本作業を円滑に進められるようになる。
【００９８】
また、各用途で使用するページを表示して、原稿ファイルを指定させることにより、どのような原稿ファイルを指定すべきかをユーザに分り易く示すことができる。さらに、各用途の原稿ファイルが持つべきページ数の条件を判定し、指定された原稿ファイルのページ数と比較し、条件を満たさない場合には、警告を表示することにより、さらに整合性を高めることができる。
【００９９】
なお、本発明の目的は、上記実施形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０１００】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１０１】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明した処理に対応するプログラムコードが格納されることになる。
【符号の説明】
【０１０２】
１０１：ネットワーク
１０２：印刷注文クライアント
１０３：電子入稿サーバ
１０３ａ：発注側Ｉ／Ｆ部
１０３ｂ：注文情報管理部
１０３ｃ：受注側Ｉ／Ｆ部
１０４：商品登録クライアント
１０４ａ：商品登録部
１０４ｂ：商品データ管理部
１０４ｃ：商品データ保管部
１０５：オペレータ用クライアント
１０５ｂ：注文管理アプリケーション
１０５ｃ：注文情報保管部
１０６：プリンタ
１０７：製本機
【図１】
2011103136.tif 000003
【図２】
2011103136.tif 000004
【図３】
2011103136.tif 000005
【図４】
2011103136.tif 000006
【図５】
2011103136.tif 000007
【図６】
2011103136.tif 000008
【図７】
2011103136.tif 000009
【図８】
2011103136.tif 000010
【図９】
2011103136.tif 000011
【図１０】
2011103136.tif 000012
【図１１】
2011103136.tif 000013
【図１２】
2011103136.tif 000014
【図１３】
2011103136.tif 000015
【図１４】
2011103136.tif 000016
【図１５】
2011103136.tif 000017
【図１６】
2011103136.tif 000018
【図１７】
2011103136.tif 000019
【図１８】
2011103136.tif 000020
【図１９】
2011103136.tif 000021
【図２０】
2011103136.tif 000022
【図２１】
2011103136.tif 000023
【図２２】
2011103136.tif 000024
【図２３】
2011103136.tif 000025
【図２４】
2011103136.tif 000026
【図２５】
2011103136.tif 000027
【図２６】
2011103136.tif 000028
【図２７】
2011103136.tif 000029
【図２８】
2011103136.tif 000030
【図２９】
2011103136.tif 000031
【図３０】
2011103136.tif 000032
【図３１】
2011103136.tif 000033
【図３２】
2011103136.tif 000034
【図３３】
2011103136.tif 000035
【図３４】
2011103136.tif 000036
【図３５】
2011103136.tif 000037
【図３６】
2011103136.tif 000038